【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
パーツに分かれたキットであって、
（ｉ）歯科インプラント・ルートのためのビジュアライザであって、
ａ）前記ビジュアライザの本体の側面において、所定のインプラント・ルート及び前記所定のインプラント・ルートに対応するアバットメントからなる群から選択される要素に設けられる協働する連結部分に連結されるのに適した機械的連結部分であって、適切に連結されたとき、前記連結は、前記ビジュアライザに対して、前記インプラント・ルートの配向の軸線及び前記配向の軸線に沿った前記インプラント・ルートの上部の位置を規定する、機械的連続部分と、
ｂ）前記ビジュアライザの前記本体の一部として、電磁放射の下でその周囲と対照をなす少なくとも３つのマーカであって、１つのマーカは、座標が決定され得る１つの所定の参照点を規定できる２Ｄ又は３Ｄの形状オブジェクトを表すと理解され、前記マーカは少なくとも１つの観察点から適用された電磁認識技術により観察及び認識可能であり、それにより前記ビジュアライザの前記マーカは、前記電磁認識技術が空間情報を集めることが可能である形状パターンを規定する、少なくとも３つのマーカと、を備える前記ビジュアライザと、
（ｉｉ）前記形状パターンの前記空間情報を備え、前記形状パターンに関する前記インプラント・ルートの前記配向の軸線及び前記配向の軸線に沿った前記インプラント・ルートの前記上部の位置を決定する、それを参照した情報を備え、且つ前記ビジュアライザ及び前記所定のインプラント・ルートを識別するデータファイルと、
を備える、
パーツに分かれたキット。
【請求項２】
前記ビジュアライザは、前記少なくとも１つの観察点から観察及び認識される少なくとも４つのマーカを備える、請求項１に記載のパーツに分かれたキット。
【請求項３】
前記マーカは、前記ビジュアライザの本体の単一のほぼ平坦な表面に配置される、請求項１又は２に記載のパーツに分かれたキット。
【請求項４】
前記電磁認識技術は、磁気共鳴映像法（ＭＲＩ）、立体画像写真、異なる観察点からの２つのカメラによる少なくとも２枚の写真の撮影、２つの異なる観察点からの同じカメラによる少なくとも２枚の写真の撮影、及び３Ｄスキャンからなる群から選択され、前記３Ｄスキャンは白色光、着色光、Ｘ線、構造化された光及びレーザー光、写真測量法、並びにそれらの組み合わせから選択される光を使用可能である、請求項１から３までのいずれか一項に記載のパーツに分かれたキット。
【請求項５】
前記所定の歯科インプラント・ルートの少なくとも１つの見本を更に備える、請求項１から４までのいずれか一項に記載のパーツに分かれたキット。
【請求項６】
前記データファイル内に含まれる前記形状パターンの前記空間情報は、第１の３次元の座標系に対する前記マーカの座標を備える、請求項１から５までのいずれか一項に記載のパーツに分かれたキット。
【請求項７】
前記マーカは、第２の３次元座標系に関する前記マーカの前記座標を集める前記電磁認識技術に適している、請求項１から６までのいずれか一項に記載のパーツに分かれたキット。
【請求項８】
前記形状パターンの認識は、マーカの数及びこれらのマーカの第２の座標の組を決定すること、前記形状パターンのマーカであると観察及び認識される全ての前記個々のマーカ間の距離の第２の組を計算すること、及び多くとも５０μｍのそれぞれの距離のずれ以内の第２の距離の組に対応する前記マーカ間の第１の距離の組となる、マーカ座標の第１の組を備える前記データファイル内の記録を取り出して前記形状パターンを認識することにより可能となる、請求項１から７までのいずれか一項に記載のパーツに分かれたキット。
【請求項９】
前記データファイルは、電子的に入手可能である、請求項１から８までのいずれか一項に記載のパーツに分かれたキット。
【請求項１０】
所定の歯科インプラント・ルートに関して、請求項１から９までのいずれか一項に記載のパーツに分かれたキットを使用して、義歯を作製する方法であって、前記所定の歯科インプラント・ルートは、前記キットの前記ビジュアライザに対応し、前記所定の歯科インプラント・ルートは患者の骨に事前に植え付けられており、前記方法は、
（ａ）任意的に、前記ビジュアライザを、前記患者の骨に事前に植え付けられた前記所定のインプラント・ルート、前記患者から取られた臨床的状況の印象に組み込まれた前記所定のインプラント・ルートに対応する前記アバットメント、及び前記患者から取られた印象から派生した前記臨床的状況のモデルに組み込まれた前記所定のインプラント・ルートの類似物から選択された要素に適切に連結するステップと、
（ｂ）前記ビジュアライザが適切に連結される間、少なくとも１つの観察点から適用された電磁認識技術を使用して、前記ビジュアライザの前記マーカを認識し、前記マーカにより形成される前記形状パターンの前記空間情報を得るステップと、
（ｃ）前記インプラント・ルートの前記配向の軸線及び前記ビジュアライザのパターンに対する前記配向の軸線に沿った前記インプラントの前記上部の前記位置を決定する情報と共に前記データファイル内の前記形状パターンの前記空間情報を取り出し、前記ビジュアライザ及び前記所定のインプラント・ルートを識別するステップと、を備える、
方法。
【請求項１１】
前記形状パターンの前記空間情報は、第２の３次元座標系に対する前記マーカのそれぞれの前記座標を決定することにより得られる、請求項１０に記載の方法。
【請求項１２】
前記データファイルは、第１の３次元座標系に対する前記マーカの前記座標を備える、請求項１０又は１１に記載の方法。
【請求項１３】
前記第１の３次元座標系に対する前記マーカの前記座標は、所定のインプラント・ルート及び前記所定のインプラント・ルートに対応するアバットメントからなる群から選択された前記協働する連結部分と同一の協働する連結部分へ機械的連結部分と共に適切に連結される前記ビジュアライザを使用して得られ、それにより、適切に連結された時、前記連結は、前記ビジュアライザに対して、前記インプラント・ルートの前記配向の軸線及び前記配向の軸線に沿った前記インプラント・ルートの前記上部の前記位置を規定する、請求項１２に記載の方法。
【請求項１４】
歯科インプラント・ルートのビジュアライザの使用であって、
ａ）前記ビジュアライザの本体の側面において、所定のインプラント・ルート及び前記所定のインプラント・ルートに対応するアバットメントからなる群から選択された要素に設けられる協働する連結部分に連結されるのに適した機械的連結部分であって、適切に連結されたとき、前記連結は、前記ビジュアライザに対して、前記インプラント・ルートの配向の軸線及び前記配向の軸線に沿った前記インプラント・ルートの上部の位置を規定する、機械的連続部分と、
ｂ）前記ビジュアライザの前記本体の一部として、電磁放射の下でその周囲と対照をなす少なくとも３つのマーカであって、１つのマーカは、座標が決定され得る１つの所定の参照点を規定できる２Ｄ又は３Ｄの形状オブジェクトを表すと理解され、前記マーカは少なくとも１つの観察点から適用された電磁認識技術により観察及び認識可能であり、それにより前記ビジュアライザの前記マーカは、前記電磁認識技術が空間情報を集めることが可能である形状パターンを規定する、少なくとも３つのマーカとを備え、
前記ビジュアライザの前記マーカは、前記電磁認識技術により認識され得る形状パターンを規定し、前記形状パターンを備えるデータファイルを参照することにより、前記インプラント・ルートの前記配向の軸線及び前記形状パターンに関する前記配向の軸線に沿った前記インプラント・ルートの前記上部の前記位置の決定を可能にし、且つ前記ビジュアライザ及び前記所定のインプラント・ルートを識別し、
それは、前記インプラント・ルートの前記配向の軸線及び前記形状パターンに関する前記配向の軸線に沿った前記インプラントの前記上部の前記位置に関連する前記空間情報を前記データファイルから得るためであり、また、前記ビジュアライザ及び前記所定のインプラント・ルートを識別するためである、
使用。
【請求項１５】
前記マーカは、２次元のマーカである、請求項１４に記載の使用。